(57)【特許請求の範囲】
【請求項１】
自動販売機の前面パネルの前面に添設される枠体を備え、この枠体の前面側に設けたスイッチ部に接続されるコネクターを枠体の後面側に設け、枠体の後面に、前記コネクターを収納する周壁と、ボス部とを後方突出状に設け、これら周壁とボス部とを近接させると共に該周壁とボス部とを前面パネルに形成した取付孔に共に内嵌し、前記枠体と前面パネルとの間に、前記取付孔の周囲を囲うパッキンを介在し、前面パネルの後面側に設けられた取付金具に、前記周壁が嵌合される孔を形成すると共に、前記取付金具を後方から貫通して前記ボス部に螺着されるボルトによって枠体を前面パネルに固定していることを特徴とする自動販売機。
【請求項２】
自動販売機の前面パネルの前面に添設される枠体を備え、この枠体の前面側に設けたスイッチ部に接続されるコネクターを枠体の後面側に設けると共に、該コネクターを挿通するための取付孔を前面パネルに設け、枠体の後面に、弾性変形することにより前記取付孔に挿通される一対の弾性係止片を後方突出状に設けると共に、この弾性係止片の間に前記コネクターを設け、前記枠体と前面パネルとの間に、前記取付孔の周囲を囲うパッキンを介在し、前記前面パネルの後面側に設けられた取付金具に、弾性変形することにより前記弾性係止片が挿通される孔を形成し、弾性係止片の先端に、取付金具に形成された前記孔の周縁に係止して弾性係止片が前記取付孔及び取付金具の前記孔から離脱するのを防止する係止部を設けていることを特徴とする自動販売機。
【発明の詳細な説明】
【０００１】
【発明の属する技術分野】
本発明は、押ボタン装置を備えた自動販売機に関する。
【０００２】
【従来の技術】
この種、自動販売機として、例えば、実開平２−１１５２２３号公報や特開平１０−２１７７９号公報に記載のものが公知である。
この従来の自動販売機においては、自動販売機の前面パネルに押ボタン装置が取り付けられている。
即ち、押ボタン装置の後面側には、コネクタ取付部とパネル取付部とが所定距離離れて個別に突設され、前面パネルには、前記各取付部に対応した個別の孔が設けられ、各孔に各取付部が嵌合するよう構成されていた。コネクタ取付部用の孔は角形で、パネル取付部用の孔は丸形であり、各孔の形状も異なっていた。そして、押ボタン装置を前面パネルに取り付けるに際しては、各孔に防水パッキンが介在されていた。
【０００３】
【発明が解決しようとする課題】
前記従来のものでは、前面パネルに多数の異なる形状の孔を設けなければならず、その孔加工に要するコストが高かった。
また、孔の数だけのパッキンを必要とし、コネクタ取付部とパネル取付部とでは、その孔の大きさ形状が異なるため、パッキンの種類も２種類必要となり、施工が面倒で、コスト高になるものであった。
そこで、本発明は、前面パネルの孔開け工数の削減と、防水パッキン取付施工の工数の削減、防水パッキンの種類を削減することによる金型費の削減を達成することができる自動販売機を提供することを目的とする。
【０００４】
【課題を解決するための手段】
前記目的を達成するため、本発明は次の手段を講じた。即ち、本発明の特徴とするところは、自動販売機の前面パネルの前面に添設される枠体を備え、この枠体の前面側に設けたスイッチ部に接続されるコネクターを枠体の後面側に設け、枠体の後面に、前記コネクターを収納する周壁とボス部とを後方突出状に設け、これら周壁とボス部とを近接すると共に該周壁とボス部とを前面パネルに形成した取付孔に共に内嵌し、前記枠体と前面パネルの間に、前記取付孔の周囲を囲うパッキンを介在し、前面パネルの後面側に設けられた取付金具に、前記周壁が嵌合される孔を形成すると共に、前記取付金具を後方から貫通して前記ボス部に螺着されるボルトによって枠体を前面パネルに固定している点にある。
【０００５】
また、本発明の特徴とするところは、自動販売機の前面パネルの前面に添設される枠体を備え、この枠体の前面側に設けたスイッチ部に接続されるコネクターを枠体の後面側に設けると共に、該コネクターを挿通するための取付孔を前面パネルに設け、枠体の後面に、弾性変形することにより前記取付孔に挿通される一対の弾性係止片を後方突出状に設けると共に、この弾性係止片の間に前記コネクターを設け、前記枠体と前面パネルとの間に、前記取付孔の周囲を囲うパッキンを介在し、前記前面パネルの後面側に設けられた取付金具に、弾性変形することにより前記弾性係止片が挿通される孔を形成し、弾性係止片の先端に、取付金具に形成された前記孔の周縁に係止して弾性係止片が前記取付孔及び取付金具の前記孔から離脱するのを防止する係止部を設けている点にある。
【０００６】
【発明の実施の形態】
以下、本発明の実施の形態を図面に基づき説明する。
図１は、自動販売機の正面図である。この自動販売機は本体の箱体と、該箱体の前面を開閉自在とする前扉１を有し、前扉１に商品陳列部２が設けられている。前扉１の商品陳列部２の下方に商品取出口３と硬貨返却口４が設けられている。
前記商品陳列部２は、前扉１に設けられた開口部５を塞ぐ前面パネル６を有する。この前面パネル６は透明アクリル板等から成る。この前面パネル６の前面側に、押ボタン装置７が添設されている。また前面パネル６には、紙幣挿入部８、返金レバー９、硬貨投入部１０が設けられている。
【０００７】
前面パネル６の内部には、商品陳列棚１１が設けられ、該棚１１に見本商品１２が陳列されている。
この実施の形態では、この商品陳列棚１１は上下３段に設けられ、各棚１１の前部に取付金具１３を介して前記押ボタン装置７が取り付けられている。
図２〜４に、前記押ボタン装置７の外観が示されている。この押ボタン装置７の内部構造は、前記実開平２−１１５２２３号公報や特開平１０−２１７７９号公報などに記載のものと基本的に同じである。
【０００８】
すなわち、この押ボタン装置７は、前面パネル６の前面に着脱自在に添設される枠体１４と、該枠体１４の前面側に設けられる回路基板１５（図５，６参照）と、回路基板１５の前面に設けられたスイッチ部と、前記スイッチ部を被覆して防水する防水カバーと、前記スイッチ部を押動操作する押動部とを有する。
前記枠体１４は、横長の合成樹脂製板材で肉厚に形成されている。この枠体１４の前面に添設される前記回路基板１５は、該枠体１４より一回り小さく形成された横長の合成樹脂製板材で薄肉に形成されている。前記回路基板１５の前面には、前記スイッチ部が設けられていると共に、該スイッチ部を挟んでその両側に発光ダイオード等で構成される発光部材や各種の素子が設けられて、一つのスイッチ操作部を形成している。このようなスイッチ操作部が一枚の回路基板１５上に複数個形成されている。
【０００９】
前記防水カバーはシリコンゴム等から構成され、所定の弾性を有し、また、透光性を有する。この防水カバーは、前記スイッチ部や発光部材等から構成されるスイッチ操作部を所定の空間をもって覆うように前方に膨出する膨出部を有する。この膨出部は、前記スイッチ操作部の数だけ連続して設けられている。そしてこの膨出部の周縁は回路基板１５の前面に密着接当して防水するよう構成されている。
そして、前記膨出部の内面から、前記スイッチ部を押動操作する押動部が棒状に一体的に突設されている。この棒状の押動部の端面に導電体が設けられ、該導電体が前記スイッチ部に接触することによりスイッチ部の回路が短絡されるよう構成されている。前記防水カバーの膨出部の内部に、バックアップ材が設けられている。
【００１０】
前記防水カバーの膨出部の前面に表示板を介して押しボタンカバー１６が嵌着されている。この押しボタンカバー１６は硬質の透明合成樹脂から形成されている。この押しボタンカバー１６と前記バックアップ材とにより前記防水カバーを挟持固定している。
そして、この押しボタンカバー１６を挿通する孔１７を有した外カバー１８が、前記枠体１４の前面を覆うように該枠体１４に嵌着されている。前記押しボタンカバー１６の周縁は外方に張り出すフランジが形成されている。そして、この押しボタンカバー１６は、前記防水カバーの弾性力により常時そのフランジが前記外カバー１８の孔１７の周縁に係合するよう構成されている。
【００１１】
前記枠体１４の後面側には、コネクタ取付部１９とパネル取付部２０とが接近して、且つ後方突出状に設けられている。
図５，６に示すように、前記コネクタ取付部１９は、前記スイッチ部の回路と外部の回路を接続するコネクター２１を取り付ける部分であり、そのコネクター２１を収納する矩形状の周壁２２を有する。
前記パネル取付部２０は、断面円形のボス部２３を有し、該ボス部２３の中心にネジ孔２４が設けられている。なお、このボス部２３の枠体後面からの後方突出量は、前記周壁２２の突出量よりも少なくされているが、同程度であっても良い。
【００１２】
図７に示すように、前面パネル６には、前記コネクタ取付部１９とパネル取付部２０を共に内嵌する、前方後円墳状の取付孔２５が設けられている。
また、図８に示すように、前記見本商品陳列棚１１の前部に設けられた取付金具１３には、円形孔２６と角穴２７が設けられている。この円形孔２６は、前記パネル取付部２０のボス部２３のネジ孔２４に螺合されるボルト２８が挿通される孔であり、角穴２７は、前記コネクタ取付部１９の周壁２２が嵌合される孔である。
【００１３】
前記構成のユニット化された押ボタン装置７を、自動販売機の前面パネル６の前面に取り付けるには、図４に示すように、コネクタ取付部１９とパネル取付部２０とを共に囲うように、防水パッキン２９を取り付ける。なお、このパッキン２９の形状は、前記取付孔２５の周縁に沿った形状とされている。そして、図５，６に示すように、前面パネル６の取付孔２５に、コネクタ取付部１９とパネル取付部２０とを嵌合し、ネジ締結手段であるボルト２８を、パネル取付部２０のネジ孔２４に螺着して締め付ける。
【００１４】
前記構成の自動販売機によれば、防水パッキン２９は１種類で足り、また前面パネル６の孔２５も１種類で足り、更に、その孔２５の数も従来のものの半数で足りるので、従来と同等の取付作業性を確保しつつ、防水パッキン２９のコスト削減と、防水パッキン２９の貼り付け工数の削減と、防水パッキン２９の種類を削減することによる金型費の削減と、前面パネル６の孔開け工数の削減が達成される。
図９〜１１に示すものは、本発明の他の実施の形態であり、前記ネジ締結手段２８に代えて、弾性締結手段３０を用いたものである。
【００１５】
即ち、前記パネル取付部２０に、弾性変形することにより前面パネル６の取付孔２５に挿通される弾性係止片３１が設けられ、該弾性係止片３１の先端に前記取付孔２５からの離脱を防止する係止部３２が、前記枠体１４に一体的に設けられている。係止部３２は、鉤形フックに形成されている。
前記弾性係止片３１は、コネクタ２１を上下から覆うように、上下一対設けられている。従って、このパネル取付部２０はコネクタ取付部１９を兼用している。
【００１６】
前面パネル６と取付金具１３には、前記弾性係止片３１が挿入される矩形状の孔２５、２７が設けられている。前記係止部３２は、取付金具１３の孔２７周縁に係止して、抜け止めされる。
この実施の形態によれば、弾性係止片３１を囲うように防水パッキン２９を装着する。そして、弾性係止片３１を前面パネル６の孔２５と取付金具１３の孔２７に押し込むことにより、図１１の装着状態が得られる。
押ボタン装置７を前面パネル６から取り外すには、係止部３２を互いに接近するように摘み、孔２５，２７から離脱させる。
【００１７】
前記構成の実施の形態によれば、ネジ締結手段８に比べ、ワンタッチ装着が可能になる。
なお、本発明は、前記実施の形態に示すものに限定されるものではない。例えば、取付金具は必須でなく、直接前面パネルに取り付けられるものであっても良い。
【００１８】
【発明の効果】
本発明によれば、前面パネルの孔開け工数の削減と、防水パッキン取付施工の工数の削減、防水パッキンの種類を削減することによる金型費の削減を達成することができる。
【図面の簡単な説明】
【図１】  図１は、本発明の実施の形態を示す自動販売機の正面図である。
【図２】  図２は、図１の自動販売機に装着されている押ボタン装置の正面図である。
【図３】  図３は、図２の下面図である。
【図４】  図４は、図２の背面図である。
【図５】  図５は、図３における一部断面図である。
【図６】  図６は、前面パネルに取り付けた状態での図４のＡ−Ａ線断面図である。
【図７】  図７は、前面パネルの正面図である。
【図８】  図８は、取付金具の背面図である。
【図９】  図９は、本発明の他の実施の形態を示す押ボタン装置の正面図である。
【図１０】  図１０は、図９の下面図である。
【図１１】  図１１は、前面パネルに取り付けた状態での図９のＢ−Ｂ線断面図である。
【符号の説明】
６  前面パネル
７  押ボタン装置
１４  枠体
１９  コネクタ取付部
２０  パネル取付部
２５  取付孔
２８  ネジ締結手段
２９  防水パッキン
３１  弾性係止片
３２  係止部
【図１】
0004213397.tif 000002
【図２】
0004213397.tif 000003
【図３】
0004213397.tif 000004
【図４】
0004213397.tif 000005
【図５】
0004213397.tif 000006
【図６】
0004213397.tif 000007
【図７】
0004213397.tif 000008
【図８】
0004213397.tif 000009
【図９】
0004213397.tif 000010
【図１０】
0004213397.tif 000011
【図１１】
0004213397.tif 000012